(57)【要約】【課題】花作り、植木作り、野菜作り、果物作りのために水の上に浮し置いて利用する新規の植木鉢装置を提供する。【解決手段】ガラス繊維入り強化プラスチックを以て密閉中空の外周部１により囲繞され底壁２に大きい孔部３をもつ浮し鉢４もしくは発泡合成樹脂材を以て浮し鉢１１構成し、これ等浮き鉢４、１１の底部内に、天然素材を原料とする混和剤とセメントとマイナスイオン発生体もしくはサンゴ化石の一方または両方を含む園芸物育成剤５をセットすると共に当該浮し鉢４内に土７等を用いて花木６を植えた植木鉢装置である。【選択図】　　　　図１
2004049049.tif 000002
【特許請求の範囲】
【請求項１】
周壁を中空の構造として浮力を確保した浮し鉢を使用して成る植木鉢装置。
【請求項２】
周壁を発泡合成樹脂材製として浮力を確保した浮し鉢を使用して成る植木鉢装置。
【請求項３】
浮し鉢の下面にバランサ−用オモリを具備してなる請求項１または２記載の植木鉢装置。
【請求項４】
天然素材を原料とする混和剤と、セメントと、マイナスイオン発生体もしくはサンゴ化石の一方または両方を含むことを特徴とする園芸物育成剤を使用して植木を植えて成ることを特徴とする請求項１、２または３記載の植木鉢装置。
【発明の詳細な説明】
【０００１】
【発明が属する技術分野】
本発明は、花作り、植木作り、野菜作り、果物作りのために水の上に浮し置いて利用する植木鉢装置に関する。
【０００２】
【従来の技術】
従来、花作り、植木作り、野菜作り、果物作りのために水の上に浮し置いて利用する植木鉢装置としては、木材や竹等で浮かすようにした浮島形式ののものが知られているが、この種の形式には取扱いに難がある、長持ちしない、搬送移動や保管に不便である、という問題点があった。
【０００３】
また、この種の植木鉢装置として現在、天然素材を原料とする混和剤（ＮＥＰ）の効能や、トルマリン石等マイナスイオン発生体の効能や、サンゴ（珊瑚）化石の効能を利用したものは、見当たらない。
【０００４】
【発明が解決しようとする課題】
本発明は、上記問題点を解消する新規の植木鉢装置を提供することを第１目的とし、天然素材を原料とする混和剤（ＮＥＰ）の効能、トルマリン石等マイナスイオン発生体の効能、サンゴ（珊瑚）化石の効能に着目した新規の植木鉢装置を提供することを第２目的とするものである。
【０００５】
【課題を解決するための手段】
上記第１目的を達成するために本発明に係る植木鉢装置は、周壁を中空の構造として浮力を確保した浮し鉢を使用して成るものである。
【０００６】
同じく、周壁を発泡合成樹脂材製として浮力を確保した浮し鉢を使用して成るものである。
【０００７】
そして、浮し鉢の下面にバランサ−用オモリを具備してなるものである。
【０００８】
また、上記第２目的を達成するために本発明に係る植木鉢装置は、天然素材を原料とする混和剤と、セメントと、マイナスイオン発生体もしくはサンゴ化石の一方または両方を含むことを特徴とする園芸物育成剤を使用して植木を植えて成るものである。
【０００９】
【実施例】
図１に示す第１実施例は、ガラス繊維入り強化プラスチックを以て密閉中空の外周部１により囲繞され底壁２に大きい孔部３をもつ浮し鉢４を構成し、この浮き鉢４の底部内に後述する鉢底用園芸物育成剤５をセットすると共に当該浮し鉢４内に花木６を土７により植えた植木鉢装置８である。
【００１０】
図２は、上記第１実施例の別異の使用例を示すものであって、市販の植木鉢９を利用しているものである。
【００１１】
図３に示す第２実施例は、上記第１実施例と同様に構成した植木鉢装置８の下面に転覆防止のためのバランサ−用オモリ１０を設けたものである。
【００１２】
図４に示す第３実施例は、鉢底用園芸物育成剤５を入れずにバランサ−用オモリ１０を取付けたものである。
【００１３】
図５に示す第４実施例は、周壁を発泡合成樹脂材で構成することで浮力を確保した浮し鉢１１を使用したものである。
【００１４】
図６に示す第５実施例は、周壁を発泡合成樹脂材で構成することで浮力を確保した浮し鉢１１の外表面にカラー塗料１２を塗布したものである。
【００１５】
図７に示す第６実施例は、周壁を発泡合成樹脂材で構成することで浮力を確保した浮し鉢１１の底面に水を吸い上げる繊維製等の吸上げ体１３を取り付けたものである。
【００１６】
上記の鉢底用園芸物育成剤５は、
▲１▼　天然素材を原料とする混和剤（商品名：ＮＥＰ）・・２．５％と、
▲２▼　白セメント・・・・・・・・・・・・・・・・・・・５．０％と、
▲３▼　砂（川砂でも山砂でもよい）・・・・・・・・・・６２．５％と、
▲４▼　マイナスイオン発生体（土の砂）・・・・・・・・２０．０％と、
▲５▼　波動加工したサンゴ化石・・・・・・・・・・・・１０．０％と
を次のような作業方法でブレンドし、このブレンド物を円盤の形状等の固形物としてこれを得たものである。このブレンド物は、粒状、粉状で提供することもできる。
【００１７】
（作業方法）
Ａ、上記▲１▼天然素材を原料とする混和剤（ＮＥＰ）に水８〜１０％を入れて薄茶色の乳化物とする。
Ｂ、上記白セメント、砂（川砂でも山砂でもよい）、マイナスイオン発生体（土の砂）、波動加工したサンゴ化石をブレンドする。
【００１８】
しかるのち、上記ＡとＢをブレンドする。この場合、手の平で握ってみて、パサパサするようなときには水を追加して握れるように調整し、そしてこの握れるようにしたもの（本文中、ブレンド物１０という。）を円盤の形もしくは１２φ〜２０φのリングの形あるいは１２φ〜２０φのボールの形、梅干の種の形、その他の形にし、乾燥して完成品とするものである。
【００１９】
この方法で作ると、強度テスト５．０％〜１０．０％ほど普通のコンクリートよりも強くなって、保水性（水を貯える性質）も高くなる。因みに、水が多すぎた場合には強度が弱くなり、所謂ノロが出て通水性が極端に低下するので注意が必要である。
【００２０】
上記の天然素材を原料とする混和剤を使用した場合には、透水性、保水性（水を貯える性質）がよくなるので、面倒な水やりの手間を省く（約１週間程度）ことが可能になり且つ通気性もよくなるので根腐れ等を起しにくくなる。
【００２１】
また、マイナスイオン発生体（土の砂）は、電気石とも呼ばれる鉱石で、常に振動しながら微量の静電気を発生させて周囲にマイナスイオンを放出したり周囲の空気を浄化脱臭したりするなどの作用があるトルマリン石の粒を含むものである。このマイナスイオン発生体は、０．３μ程度に粉砕し造粒し焼成したものが好ましく、花、木、野菜物等の根腐れを防ぐ効果を有しているものであって、繰り返し使用することの可能なものである。
【００２２】
また、サンゴ化石は、波動加工して水の分子（クラスター）より細かくしてあるものを通常使用する。これによって、花、木、野菜物等が行う根からの水の吸い上げおよびカルシュームの補給がよくなる効果があリ、根腐れを防止する効果を発揮するものである。
【００２３】
上記鉢底用園芸物育成剤５は、天然素材を原料とする混和剤とセメントとを混ぜる（マイナスイオン発生体、サンゴ化石を混ぜない）ことで実施したり、天然素材を原料とする混和剤とセメントとマイナスイオン発生体とを混ぜる（サンゴ化石を混ぜない）ことで実施したり、天然素材を原料とする混和剤とセメントとサンゴ化石とを混ぜる（マイナスイオン発生体を混ぜない）ことで実施したり、コーヒーバイオ肥料等天然有機肥料を入れないで実施したり、また、上記の混合比率（％）を任意に変えたり等しても実施することができる。
【００２４】
上記マイナスイオン発生体は、０〜１０００の数値のものが作れるが、本発明の実施の場合には自然の滝の数値すなわち約２００の数値のものを採用している。勿論他の数値でも実施が可能である。
【００２５】
【発明の効果】
本発明によれば、上記の問題点を解消する新規の植木鉢装置を提供するという第１目的、および天然素材を原料とする混和剤（ＮＥＰ）の効能、トルマリン石等マイナスイオン発生体の効能、サンゴ（珊瑚）化石の効能に着目した新規の植木鉢装置を提供するという第２目的を完全に達成できる。
【図面の簡単な説明】
【図１】第１実施例を示す縦断面図である。
【図２】第１実施例の別異の使用例で示す縦断面図である。
【図３】第２実施例を示す縦断面図である。
【図４】第３実施例を示す縦断面図である。
【図５】第４実施例を示す縦断面図である。
【図６】第５実施例を示す縦断面図である。
【図７】第６実施例を示す縦断面図である。
【符号の説明】
１　密閉中空外周部
２　底壁
３　孔部
４　浮し鉢
５　鉢底用園芸物育成剤
６　花木
７　土
８　植木鉢装置
９　植木鉢
１０　バランサ−用オモリ
１１　浮し鉢
１２　カラー塗料
１３　吸上げ体
【図１】
2004049049.tif 000003
【図２】
2004049049.tif 000004
【図３】
2004049049.tif 000005
【図４】
2004049049.tif 000006
【図５】
2004049049.tif 000007
【図６】
2004049049.tif 000008
【図７】
2004049049.tif 000009